(57)【要約】【課題】端末装置に記憶されているコンテンツを分析して、ユーザの嗜好に合ったリストを生成できるコンテンツ再生装置を提供する。【解決手段】コンテンツ再生装置１００は、楽曲データ等のコンテンツを記憶する楽曲データ記憶部４０から楽曲データを読み出して再生する楽曲再生部５０と、楽曲データの識別情報と楽曲データの評価ポイントとを対応付けて記憶する操作履歴ＤＢ６４と、再生された楽曲データから、該楽曲データに関連する関連情報を抽出し、該関連情報を数値化した評価ポイントを与えて、再生した楽曲データに対応する評価ポイントを更新する履歴活用部６２と、評価ポイントに基づいた楽曲データのリストを表示部１１に表示するプレイリスト表示ツール７０とを備える。【選択図】図２
2009217867.tif 000002
【特許請求の範囲】
【請求項１】
コンテンツを記憶する記憶装置からコンテンツを読み出して再生するコンテンツ再生部と、
コンテンツの識別情報とコンテンツの評価ポイントとを対応付けて記憶する記憶装置と、
再生されたコンテンツから、該コンテンツに関連する関連情報を抽出し、関連情報毎に対応した評価ポイントを記憶する記憶装置を参照して、該関連情報を数値化した評価ポイントを与え、前記再生したコンテンツに対応する評価ポイントを更新するコンテンツ分析部と、
前記評価ポイントに基づいた表示方法を用いて、コンテンツを表示装置に表示する表示制御部と、を備えることを特徴とするコンテンツ再生装置。
【請求項２】
前記関連情報は、前記コンテンツの再生日時、再生場所、再生回数、及び、タイトルの少なくとも１つを含む、請求項１に記載のコンテンツ再生装置。
【請求項３】
前記コンテンツ分析部は、キーワードと、前記キーワードとコンテンツのタイトルとの類似度に対応付けられた評価ポイントとを含むリストを参照する、請求項１又は２に記載のコンテンツ再生装置。
【請求項４】
前記コンテンツ分析部は、コンテンツの再生日時での評価ポイントを、該再生日時と類似する日時において高く設定する、請求項１〜３の何れか一に記載のコンテンツ再生装置。
【請求項５】
前記表示制御部は、前記評価ポイントの高いコンテンツを優先的に前記表示装置に表示する、請求項１〜４の何れか一に記載のコンテンツ再生装置。
【請求項６】
前記コンテンツ分析部は、ユーザの指定に基づいて選択的に作動可能である、請求項１〜５の何れか一に記載のコンテンツ再生装置。
【請求項７】
前記コンテンツ分析部は、分析すべきコンテンツか否かを指定するルールを記憶する記憶装置を参照して、選択的に作動する、請求項１〜６の何れか一に記載のコンテンツ再生装置。
【請求項８】
前記評価ポイントは、前記関連情報についてコンテンツ再生の発生時刻からの時間の経過と共に、数値が低下する、請求項１〜７の何れか一に記載のコンテンツ再生装置。
【請求項９】
前記コンテンツは、楽曲データである、請求項１〜８の何れか一に記載のコンテンツ再生装置。
【請求項１０】
コンピュータを有する端末装置におけるコンテンツの評価方法であって、
コンピュータが、コンテンツを記憶する記憶装置からコンテンツを読み出して再生するステップと、
コンピュータが、コンテンツの識別情報とコンテンツの評価ポイントとを対応つけて記憶するステップと、
コンピュータが、再生されたコンテンツから、該コンテンツに関連する関連情報を抽出し、関連情報毎に対応した評価ポイントを記憶する記憶装置を参照して、該関連情報を数値化した評価ポイントを与え、前記再生したコンテンツに対応する評価ポイントを更新するステップと、
コンピュータが、前記評価ポイントに基づいた表示方法を用いてコンテンツを表示装置に表示するステップと、を有することを特徴とするコンテンツの評価方法。
【請求項１１】
コンピュータを有する端末装置のためのプログラムであって、前記コンピュータに、
コンテンツを記憶する記憶装置からコンテンツを読み出して再生する処理と、
コンテンツの識別情報とコンテンツの評価ポイントとを対応付けて記憶する処理と、
再生されたコンテンツから、該コンテンツに関連する関連情報を抽出し、関連情報毎に対応した評価ポイントを記憶する記憶装置を参照して、該関連情報を数値化した評価ポイントを与え、前記再生したコンテンツに対応する評価ポイントを更新する処理と、
前記評価ポイントに基づいた表示方法を用いてコンテンツを表示装置に表示する処理と、を実行させることを特徴とするプログラム。
【発明の詳細な説明】
【技術分野】
【０００１】
本発明は、コンテンツ再生装置、コンテンツの評価方法及びプログラムに関し、更に詳しくは、楽曲データ等のコンテンツを再生して評価を行うコンテンツ再生装置、コンテンツの評価方法及びプログラムに関する。
【背景技術】
【０００２】
近年、携帯電話機等に代表される端末装置は、機能の多様化が進んでおり、楽曲データ等のコンテンツを記憶すると共に、該コンテンツを読み出して再生する機能を備えたものが知られている。
【０００３】
特許文献１には、放送網又は通信網を介して取得した交通情報等のコンテンツと、予め蓄積している楽曲等のコンテンツとを、自動的に切り替えながら順次再生するコンテンツ再生装置が記載されている。このコンテンツ再生装置では、ユーザが飽きることがないように、楽曲等のコンテンツを自動選択して順次再生する。
【０００４】
特許文献２には、楽曲等のコンテンツの再生回数、時刻、再生場所を考慮した再生履歴に基づいて、楽曲等のコンテンツを選択して再生するコンテンツ再生装置が記載されている。このコンテンツ再生装置では、例えば再生回数の大きい順に再生用のリストを生成し、該リストに基づいて、ユーザの嗜好に合ったコンテンツを選択して再生する。
【０００５】
【特許文献１】特開２００５−２７６４００号公報
【特許文献２】特開２００５−２０２４５３号公報
【発明の開示】
【発明が解決しようとする課題】
【０００６】
特許文献１に記載の技術では、楽曲等のコンテンツとは異なる交通情報等のコンテンツをサーバから取得した上で、両者のコンテンツを自動的に切り替える。このため、サーバと端末装置とが通信回線を介して接続されている必要がある。そのため、端末装置がオフラインのときには使用できないという問題があった。
【０００７】
特許文献２に記載の技術では、再生履歴に基づいて上記リストを作成しており、例えば再生場所を特定するにはサーバとの連携が必要であった。また、コンテンツの再生回数、時刻、再生場所を考慮しただけでは、ユーザの嗜好に合ったリストを作成することは困難であった。
【０００８】
本発明は、端末装置に記憶されているコンテンツを分析して、ユーザの嗜好に合ったリストを生成できるコンテンツ再生装置、コンテンツの評価方法及びプログラムを提供することを目的とする。
【課題を解決するための手段】
【０００９】
上記目的を達成するために、本発明は、コンテンツを記憶する記憶装置からコンテンツを読み出して再生するコンテンツ再生部と、
コンテンツの識別情報とコンテンツの評価ポイントとを対応付けて記憶する記憶装置と、
再生されたコンテンツから、該コンテンツに関連する関連情報を抽出し、関連情報毎に対応した評価ポイントを記憶する記憶装置を参照して、該関連情報を数値化した評価ポイントを与え、前記再生したコンテンツに対応する評価ポイントを更新するコンテンツ分析部と、
前記評価ポイントに基づいた表示方法を用いて、コンテンツを表示装置に表示する表示制御部と、を備えることを特徴とするコンテンツ再生装置を提供する。
【００１０】
また、本発明は、コンピュータを有する端末装置におけるコンテンツの評価方法であって、
コンピュータが、コンテンツを記憶する記憶装置からコンテンツを読み出して再生するステップと、
コンピュータが、コンテンツの識別情報とコンテンツの評価ポイントとを対応つけて記憶するステップと、
コンピュータが、再生されたコンテンツから、該コンテンツに関連する関連情報を抽出し、関連情報毎に対応した評価ポイントを記憶する記憶装置を参照して、該関連情報を数値化した評価ポイントを与え、前記再生したコンテンツに対応する評価ポイントを更新するステップと、
コンピュータが、前記評価ポイントに基づいた表示方法を用いてコンテンツを表示装置に表示するステップと、を有することを特徴とするコンテンツの評価方法を提供する。
【００１１】
さらに、本発明は、コンピュータを有する端末装置のためのプログラムであって、前記コンピュータに、
コンテンツを記憶する記憶装置からコンテンツを読み出して再生する処理と、
コンテンツの識別情報とコンテンツの評価ポイントとを対応つけて記憶する処理と、
再生されたコンテンツから、該コンテンツに関連する関連情報を抽出し、関連情報毎に対応した評価ポイントを記憶する記憶装置を参照して、該関連情報を数値化した評価ポイントを与え、前記再生したコンテンツに対応する評価ポイントを更新する処理と、
前記評価ポイントに基づいた表示方法を用いてコンテンツを表示装置に表示する処理と、を実行させることを特徴とするプログラムを提供する。
【発明の効果】
【００１２】
本発明のコンテンツ再生装置、コンテンツの評価方法及びプログラムによると、コンテンツに関連する関連情報を数値化した評価ポイントを、コンテンツが再生されるときに更新し、更新された評価ポイントに基づいた表示方法を用いてコンテンツを表示する。その結果として、コンテンツ再生装置だけでコンテンツを分析して、評価ポイントに基づいてユーザの嗜好に合ったコンテンツのリストを表示できる。
【発明を実施するための最良の形態】
【００１３】
以下、図面を参照し、本発明の例示的な実施の形態について詳細に説明する。図１は、本発明の一実施形態に係るコンテンツ再生装置の構成を示す図である。コンテンツ再生装置１００は、例えば、携帯電話機等に代表される携帯型の装置であって、通話に限られず、インターネット接続を可能とする通信機能、コンテンツを再生するコンテンツ再生機能等の各種機能を有する。ここで、コンテンツとしては、例えば楽曲データ、各種画像データ等が挙げられる。
【００１４】
コンテンツ再生装置１００は、例えば折り畳み型であって、上部筐体１０と下部筐体２０とがヒンジにより相互に回転可能に結合されている。上部筐体１０は、その表面にＬＣＤ等の表示部１１を有する。表示部１１には、各種画像データや、楽曲データのプレイリスト（図４参照）が表示される。下部筐体２０は、その表面にテンキー２１やセンターキー２２を有する。ユーザは、これらのキーを用いて各種操作を行う。
【００１５】
図２は、コンテンツ再生装置の機能を示すブロック図である。ここでは、コンテンツ再生装置１００の各種機能のうち、コンテンツ再生機能と連携して作動するプレイリストを生成する機能について説明する。なお、コンテンツは、装置内に予め蓄積されている楽曲データとする。コンテンツ再生装置１００は、指示入力部３０と、楽曲データ記憶部４０と、楽曲再生部５０と、ミュージック分析エンジン６０と、プレイリスト表示ツール７０と、上記表示部１１とを備える。
【００１６】
指示入力部３０は、ユーザによるテンキー２１やセンターキー２２の操作に応じて指示信号を生成し、指示信号を楽曲再生部５０とミュージック分析エンジン６０とに受け渡す機能を有する。楽曲データ記憶部４０は、音楽等の楽曲データを蓄積している。楽曲再生部５０は、指示入力部３０からの指示信号を受けて、楽曲データ記憶部４０から楽曲データを読み出して再生すると共に、楽曲データをミュージック分析エンジン６０に受け渡す機能を有する。
【００１７】
ミュージック分析エンジン６０は、指示入力部３０からの指示信号を受けて、楽曲再生部５０から受け渡された楽曲データを分析する機能を有し、行動制御部６１と、履歴活用部６２と、ルールＤＢ６３と、操作履歴ＤＢ６４とを備える。ルールＤＢ６３は、楽曲データに対して分析すべきか否かを指定するルールを記憶している。行動制御部６１は、指示信号を受けると、ルールＤＢ６３を参照して、該ルールに従い、履歴活用部６２を起動するか否かの起動信号を生成し、該起動信号を履歴活用部６２に受け渡す機能を有する。
【００１８】
履歴活用部６２は、上記起動信号を受けて起動し、楽曲再生部５０より受け渡された楽曲データから、該楽曲データに関連する関連情報（後述）を抽出し、該関連情報を数値化して評価ポイントを算出する。評価ポイントとは、ユーザの嗜好を反映したものであって、その値が大きい程、ユーザがより好ましいと感じる楽曲データとされる。なお、評価ポイントは、例えば、０〜１００までの値とする。
【００１９】
操作履歴ＤＢ６４は、楽曲データの識別情報と、楽曲データの評価ポイントとを対応付けて記憶している。履歴活用部６２は、コンテンツ再生装置１００で初めて再生された楽曲データを受け取った場合には、その楽曲データの識別情報と関連情報とを抽出し、該識別情報と、関連情報を数値化した評価ポイントとを操作履歴ＤＢ６４に格納する。ここで、履歴活用部６２は、それ以降同一の楽曲データが再生されると、評価ポイントを算出し、該評価ポイントを操作履歴ＤＢ６４に与えることで、前回までの評価ポイントを更新する。
【００２０】
さらに、履歴活用部６２は、少なくとも評価ポイントを含むプレイリストを作成するためのデータを生成し、該データをプレイリスト表示ツール７０に受け渡す。プレイリスト表示ツール７０は、履歴活用部６２から受け渡されたプレイリストを作成するためのデータに基づいて、表示部１１を制御し、プレイリストを表示させる。
【００２１】
ここで、楽曲データに関する関連情報について説明する。関連情報としては、例えば、アーティスト名やタイトル（曲名）等からなる楽曲情報と、楽曲の再生日時と再生回数とを含む。なお、履歴活用部６２は、再生日時から、単なる時刻だけでなく、季節、特定の日や期間等（例えば、クリスマス、クリスマスを含む前１週間等）も関連情報として抽出する。
【００２２】
次に、履歴活用部６２が、関連情報を数値化する際の重み付けについて説明する。一例として、重み付けは、楽曲が再生された季節、特定の日や期間毎に、予め設定してもよい。例えば、クリスマスや、クリスマスを含む前１週間等に再生された楽曲データに、高い評価ポイントが与えられるように、重み付けを設定してもよい。
【００２３】
つまり、該重み付けがされる関連情報を有する楽曲データは、季節、特定の日や期間に応じて、評価ポイントが変化することになる。評価ポイントが変化する楽曲データは、その旨を予め登録してもよいし、また、履歴活用部６２が曲名から自動的に判別して設定するようにしてもよい。例えば、ある楽曲データの曲名に雨という言葉（キーワード）が含まれていたら、梅雨の季節に評価ポイントが高くなるように、重み付けを設定すればよい。これらの設定は、予め記憶装置に記憶されている。
【００２４】
さらに、過去の再生履歴から、ある季節又は期間に再生されている楽曲データ、又は、他の季節や期間比べて、相対的に高い頻度で再生されている楽曲データを、評価ポイントが変化する楽曲データとして設定してもよい。
【００２５】
なお、ある情報における評価ポイントは、各関連情報に関する評価ポイントの和で表され、各関連情報に関する評価ポイントは、その評価ポイントが付された時刻からの経過時間に従って、所定の減衰率で減衰するように設定してもよい。例えば、１日単位で対数的に減衰し、最終的に０となるように、重み付けを設定してもよい。これは、ある楽曲データを長い期間、再生していなければ、評価ポイントが小さくなることを意味している。
【００２６】
図３は、コンテンツ再生装置の動作を示すフローチャートである。なお、以下では、上記機能の説明と重複する箇所については、適宜省略した。まず、指示入力部３０からの指示信号に応じて、楽曲再生部５０は、楽曲データ記憶部４０から楽曲データを読み出して再生する（ステップＳ１１）。行動制御部６１は、指示信号がプレイリストの作成を指示しているか否かを判定する（ステップＳ１２）。行動制御部６１は、ステップＳ１２で、指示がなければ（Ｎ）、処理を終了し、指示があれば（Ｙ）、ルールＤＢ６３を参照して、再生された楽曲データに対して、分析を許可するルール設定になっているか否かを判定する（ステップＳ１３）。
【００２７】
行動制御部６１は、分析が許可されていれば（ステップＳ１３、Ｙ）、起動信号を履歴活用部６２に受け渡し、分析が許可されていなければ（ステップＳ１３、Ｎ）、起動信号を生成しないで、処理を終了する。
【００２８】
履歴活用部６２は、起動信号を受けて、楽曲データの関連情報を抽出し（ステップＳ１４）、抽出した関連情報を、上記重み付けを用いて数値化して評価ポイントを算出する（ステップＳ１５）。次に、履歴活用部６２は、操作履歴ＤＢ６４から前回までの評価ポイントを読み出して、ステップＳ１５で算出された評価ポイントを用いて、楽曲データに対応付けられた評価ポイントを更新する（ステップＳ１６）。
【００２９】
続いて、履歴活用部６２は、少なくとも、関連情報（例えば、曲名）、更新された評価ポイントに基づいたプレイリストを作成するためのデータを生成し、該データをプレイリスト表示ツール７０に受け渡す（ステップＳ１７）。次いで、プレイリスト表示ツール７０は、ステップＳ１７で受け渡されたデータに基づいて、表示部１１を制御して、プレイリストを表示させる（ステップＳ１８）。
【００３０】
次に、図４を参照して、プレイリストが作成される状況を具体的に説明する。例えば、ユーザが朝の通勤時に、分析が許可されている「陽が昇る歌」という楽曲を聴いていた場合には、ミュージック分析エンジン６０の履歴活用部６２は、関連情報として、時間帯「朝」、曲名「陽が昇る歌」、再生回数を抽出して、重み付けを用いて数値化して、「陽が昇る歌」の評価ポイントを更新して、操作履歴ＤＢ６４に格納する。
【００３１】
さらに、ユーザが、例えばキーワード「朝」に纏わる楽曲データについてのプレイリストを自動で作成したい場合を想定する。まず、ミュージック分析エンジン６０は、ユーザのキー操作等に伴う指示入力部３０からの指示信号を受けると、関連情報や更新された評価ポイントに基づいて、プレイリストを作成するためのデータを生成する。次に、プレイリスト表示ツール７０は、該データに応じて表示部１１にプレイリスト８０を表示する。なお、プレイリスト表示ツール７０は、ユーザのキー操作等により適宜操作されるようにしてもよい。
【００３２】
プレイリスト８０は、例えば、キーワード８１と、楽曲データの関連情報である曲名８２と、評価ポイント８３と、評価ポイント８３に基づいた順位付けであるランキング８４とを含む。楽曲データの曲名８２は、キーワード８１と類似する言葉を含むものが選択されている。例えば、「陽が昇る歌」は、評価ポイント８３が「９０」であり、ランキング８４が「１」であって、「陽が昇る」という言葉が朝を連想させる。また、「ｇｏｏｄ−ｍｏｒｎｉｎｇ」は、評価ポイント８３が「５０」であり、ランキング８４が「３」であって、「ｍｏｒｎｉｎｇ」という言葉が朝を意味している。なお、プレイリスト８０では、上位１０曲までを順位付けしたが、適宜の数の楽曲を順位付けしてもよい。
【００３３】
ここで、プレイリスト８０の更新は、随時更新されるものでもよく、所定期間毎に更新されるものでもよい。また、既存のプレイリストと置き換えてもよく、常時、所定数を保持して、最も古いプレイリストを消去し、新しいプレイリストに置き換えてもよい。
【００３４】
さらに、プレイリスト８０は、複数の楽曲を表示しているが、１曲であってもよい。同図に示すように、評価ポイントの大きい順に表示してもよいし、小さい順に表示しても構わない。
【００３５】
本実施形態のコンテンツ再生装置１００によれば、楽曲データの関連情報を数値化する際に、適宜設定された重み付けを用いて評価ポイントを算出し、さらに、この評価ポイントを楽曲データが再生されるときに更新するので、楽曲データに対応付けられた評価ポイントが、ユーザの嗜好を反映したものとなる。その結果として、評価ポイントに応じて作成されたプレイリスト８０は、ユーザの嗜好に合ったものとなる。
【００３６】
また、ミュージック分析エンジン６０が、楽曲データ記憶部４０に記憶されている楽曲データを分析するので、コンテンツ再生装置１００だけでプレイリスト８０を作成でき、サーバと連携する必要がない。さらに、プレイリスト８０を随時変化させることで、ユーザが、飽きずに音楽を楽しむことができる。また、キー操作だけでプレイリスト８０を容易に作成できる。
【００３７】
上記実施形態では、プレイリストを作成する場合について説明したが、これに限定されず、楽曲データの評価ポイントに基づいて、ランダム再生を行うようにしてもよい。また、メール閲覧時に、メール本文から関連情報を抽出して、評価ポイントを算出し、この評価ポイントに基づいて、メール本文に相応しい楽曲データをリストにして再生してもよい。
【００３８】
また、ミュージック分析エンジン６０の機能を、コンテンツ再生装置１００内ではなく、サーバ側に保持させるようにしてもよい。この場合には、着うたフル（株式会社ソニー・ミュージックエンタテインメントの登録商標）やNapster（ナップスター  リミテッド  ライアビリティー  カンパニーの登録商標）等の音楽ダウンロードサービスに適用して、ユーザの嗜好に合った楽曲データをリスト化して、このリストを参照して所望の楽曲データを取得するようにしてもよい。
【００３９】
さらに、インターネット接続機能を用いるのであれば、関連情報として、楽曲データを再生した場所、天気等を新たに追加してもよい。この追加した関連情報に応じた重み付けを設定して、評価ポイントを算出すれば、ユーザの嗜好により合ったプレイリストを作成できる。
【００４０】
また、上記実施形態では、楽曲データを再生する場合について説明したが、これに限られず、例えば、語学の学習ソフトに適用してもよい。一例として、ユーザが苦手な問題のみをリストとして表示し、苦手な問題を繰り返し学習させるようにしてもよい。
【００４１】
以上説明したように、本発明のコンテンツ再生装置によると、以下の態様の採用が可能である。
【００４２】
関連情報は、コンテンツの再生日時、再生場所、再生回数、及び、タイトルの少なくとも１つを含んでもよい。コンテンツ分析部は、キーワードと、キーワードとコンテンツのタイトルとの類似度に対応付けられた評価ポイントとを含むリストを参照してもよい。
【００４３】
コンテンツ分析部は、コンテンツの再生日時での評価ポイントを、該再生日時と類似する日時において高く設定する。この場合には、例えばクリスマスシーズン等の特定の日時に再生されたコンテンツの評価ポイントを高くすることで、よりユーザの嗜好に合ったコンテンツをリストに表示させることができる。
【００４４】
表示制御部は、評価ポイントの高いコンテンツを優先的に表示装置に表示する。これにより、ユーザは、嗜好に合ったコンテンツを優先的に選択できる。コンテンツ分析部は、ユーザの指定に基づいて選択的に作動可能としてもよい。
【００４５】
コンテンツ分析部は、分析すべきコンテンツか否かを指定するルールを記憶する記憶装置を参照して、選択的に作動する。これにより、所定のコンテンツに対して分析をしないように設定すれば、ユーザの嗜好に合わないコンテンツをリストから除外することができる。
【００４６】
評価ポイントは、関連情報についてコンテンツ再生の発生時刻からの時間の経過と共に、数値が低下する。これにより、あるコンテンツを長い期間、再生していなければ、ユーザの嗜好に合わないとして、このコンテンツがリストに表示されることが少なくなる。なお、コンテンツとしては、楽曲データを採用できる。
【００４７】
以上、本発明をその好適な実施形態に基づいて説明したが、本発明のコンテンツ再生装置、コンテンツの評価方法及びプログラムは、上記実施形態の構成にのみ限定されるものではなく、上記実施形態の構成から種々の修正及び変更を施したものも、本発明の範囲に含まれる。
【図面の簡単な説明】
【００４８】
【図１】本発明の一実施形態に係るコンテンツ再生装置の構成を示す図。
【図２】コンテンツ再生装置の機能を示すブロック図。
【図３】コンテンツ再生装置の動作を示すフローチャート。
【図４】プレイリストの一例を示す図。
【符号の説明】
【００４９】
１０：上部筐体
１１：表示部
２０：下部筐体
３０：指示入力部
４０：楽曲データ記憶部
５０：楽曲再生部
６０：ミュージック分析エンジン
６１：行動制御部
６２：履歴活用部
６３：ルールＤＢ
６４：操作履歴ＤＢ
７０：プレイリスト表示ツール
８０：プレイリスト
【図１】
2009217867.tif 000003
【図２】
2009217867.tif 000004
【図３】
2009217867.tif 000005
【図４】
2009217867.tif 000006